(57)【要約】【課題】プランジャマグネットやモータなどの動力源により駆動するシャッター等を必要とせずに、利用者等が故意や誤って媒体等を媒体排出口から装置内に挿入することを確実に防止する。【解決手段】媒体排出口５を波打ち形状にし、或いはさらに媒体排出口５を下向きにし、或いは媒体排出口５から直線的に挿入された強制挿入媒体３ｂを遮断する媒体挿入防止用空隙６を媒体走行方向を変化させる搬送路近傍に設け、或いは媒体挿入口５付近に媒体センサ対８を配置し強制挿入媒体３ｂが検出されたときは表示部１５に媒体挿入を禁止する旨のガイダンスを表示したり、音声等により警告をするようにした。【選択図】　　　図１
2004038542.tif 000002
【特許請求の範囲】
【請求項１】
媒体排出口を波打ち形状としたことを特徴とする自動取引装置。
【請求項２】
媒体排出口を下向きとしたことを特徴とする請求項１記載の自動取引装置。
【請求項３】
媒体排出口から挿入された媒体等を遮断する媒体挿入防止用空隙を媒体走行方向が変化する搬送路近傍に設けたことを特徴とする請求項１及び２記載の自動取引装置。
【請求項４】
媒体排出口付近に媒体検出センサを配置し、当該媒体検出センサにより媒体等の挿入を検知したときは、表示部に媒体等の挿入を停止する旨のガイダンスを表示し、或いは音声等により警告を発し、或いはその両方の警告を行うことを特徴とした請求項１ないし３いずれか記載の自動取引装置。
【発明の詳細な説明】
【０００１】
【発明の属する技術分野】
本発明は、取引明細書等を排出する機構を有する自動取引装置に関するものである。
【従来の技術】
従来の自動取引装置では、取引を行った結果として取引明細書等を利用者に渡すために、取引明細書等を排出する機構を有している。そして、利用者がいたずら等により取引明細書等の媒体排出口に媒体などを挿入することを防止するために、プランジャマグネットやモータなどの動力源により開閉するシャッターを設け、媒体排出動作中のみシャッターを開き、それ以外はシャッターを閉じるようにすることにより、媒体等が排出口より挿入されることを防止していた。
【０００２】
【発明が解決しようとする課題】
しかしながら、上記従来の自動取引装置では、プランジャマグネットやモータなどの動力源を必要とするので装置コストがアップとなり、また、動力源を使用するので故障発生の頻度が増加し、品質が低下する等の問題があった。
【０００３】
【課題を解決するための手段】
本発明は、前述の課題を解決するため次の構成を採用する。すなわち、媒体排出口を波打ち形状とし、或いはさらに媒体排出口を下向きとし、或いは媒体排出口から挿入された媒体を遮断する媒体挿入防止用空隙を媒体走行方向が変化する搬送路近傍に設け、或いは媒体排出口付近に媒体検出センサを配置し、当該媒体検出センサにより媒体等の挿入を検知したときは、表示部に媒体等の挿入を停止する旨のガイダンスを表示し、或いは音声等により警告を発し、或いはその両方の警告を行うようにした。
【０００４】
【発明の実施の形態】
以下、本発明に係る実施の形態例を図面を用いて説明する。なお図面に共通する要素には同一の符号を付す。
【０００５】
《実施形態例》
（構成）
図２に示したように実施形態例の自動取引装置１１の制御系は、各部の制御を行う制御部１４、利用者への操作手順・方法のガイダンスやガイダンスに従い入力を行うためのテンキーやタッチパネル等から構成される表示部１５、利用者へのガイダンスを音声等にて行うためのスピーカ１６及びハンドセット１７、取引明細書に取引内容を印刷する取引明細書印刷部１８から構成され、ホストコンピュータであるセンター１２とインタフェイス１３を経由して接続されている。
【０００６】
図１は実施形態例の自動取引装置の媒体排出口付近の構成、図３は媒体排出口を外部より見た外観図である。図１に示したように実施形態例の自動取引装置は制御部１４の制御の元に取引明細書印刷部１８にて取引内容が印刷された排出媒体３ａの搬送をガイドする搬送路１、排出媒体３ａを後述の媒体排出口５へと搬送駆動する搬送ローラ対２、搬送ローラ対２側の搬送路１と媒体排出口５側の搬送路との境界として機能する内部媒体排出口７、排出媒体３ａを下向きに排出するように配置された媒体排出口５、強制挿入媒体３ｂが媒体排出口５から挿入したことを検出する媒体センサ対８、そして媒体排出口５から挿入された強制挿入媒体３ｂが内部媒体排出口７を経由して装置内部へと侵入することを阻止する機能を有する媒体挿入防止用空隙６から構成される。
【０００７】
また、図３に示したように実施形態例の自動取引装置の媒体排出口５は波打ち形状となっている。
【０００８】
（動作）
以上の構成により、実施形態例の自動取引装置は以下のように動作する。すなわち、通常の利用者の操作においては制御部１４の制御に基づき、表示部１５に表示されたガイダンス、スピーカ１６或いはハンドセット１７によるガイダンスに従って取引を行う。そして取引が終了すると、その取引データをインタフェイス１３を経由してセンター１２に送出した後、取引明細書印刷部１８にて媒体に取引内容を印刷し、排出媒体３ａとして搬送路１を経由して媒体排出口５に排出する。
【０００９】
そして、利用者等がカードや用紙等を故意或いは誤って媒体排出口５より挿入しようとした場合は、一般に受光・発光素子対から構成され媒体により光が遮断されることにより媒体の存在を検出する媒体センサ対８により強制挿入媒体３ｂの挿入を検出すると、制御部１４の制御の元に表示部１５に図４に示したような媒体等の挿入を停止する旨のガイダンスを表示する。このガイダンスは警告のガイダンスであるので、表示色を変えて表示したり、表示を点滅等させて表示してもよい。そして、所定時間経過しても強制挿入媒体３ｂが排除されない場合は、制御部１４の制御の元にスピーカ１６、ハンドセット１７により音声等での警告を発する。
【００１０】
ここで、利用者等がカードや用紙等を故意或いは誤って媒体排出口５より挿入しようとした場合、実施形態例の自動取引装置の媒体排出口５は図１に示したように下向きに配置されているため、強制挿入媒体３ｂを挿入しようとしても挿入し難い配置となっており、媒体等の挿入を防止するように機能する。
【００１１】
また、媒体排出口５は、図３に示したように波打ち形状となっているのでカード状の硬い板状の媒体の挿入を防止するように機能する。或いは比較的柔らかい用紙状の媒体を、媒体排出口５の波打ち形状に沿って折り曲げ挿入したとしても、波打ち形状に折り曲げることにより強制挿入媒体３ｂは直線的に進むように抑制され、媒体挿入防止用空隙６に突き当たるので内部媒体排出口７への侵入を阻止するように機能する。
【００１２】
さらに、排出媒体３ａがロール紙を所定の長さでカットして排出する媒体の場合ではカールぐせが生ずるが、媒体排出口５を波打ち形状とすることによりカールぐせが矯正され排出されるので利用者にとって排出媒体３ａをつかみ易くするようにも機能する。
【００１３】
《その他の変形例》
実施形態例の自動取引装置の説明では強制挿入媒体３ｂが検出されたときに、表示部にてガイダンスを表示してから音声等により警告を発するように説明したが、表示部への表示、音声等による警告を同時に、或いは順序を逆にして行っても同様の効果がある。
【００１４】
【発明の効果】
以上詳細に述べたように、本発明の自動取引装置によれば、媒体排出口を波打ち形状とし、或いはさらに媒体排出口を下向きとし、或いは媒体排出口から直線的に挿入された媒体を遮断する媒体挿入防止用空隙を媒体走行方向が変化する搬送路近傍に設けたので、コストアップや品質低下の要因であった駆動部により駆動するシャッター等を使用することなく、硬いカード状の媒体や用紙状の柔らかい媒体等の挿入を確実に防止することができる。
【図面の簡単な説明】
【図１】実施形態例の自動取引装置の媒体排出口付近の構成図である。
【図２】実施形態例の自動取引装置の制御系の構成図である。
【図３】実施形態例の自動取引装置の媒体排出口の外観図である。
【図４】実施形態例の自動取引装置のガイダンス表示例である。
【符号の説明】
３ａ　　　排出媒体
３ｂ　　　強制挿入媒体
５　　　　媒体排出口
６　　　　媒体挿入防止用空隙
７　　　　内部媒体排出口
８　　　　媒体センサ対
【図１】
2004038542.tif 000003
【図２】
2004038542.tif 000004
【図３】
2004038542.tif 000005
【図４】
2004038542.tif 000006